(57)【要約】【課題】上部に排水栓が載置されるヘアキャッチャーのつまみ部の形状を工夫して着脱性の向上やつまみ部の汚れ抑制を可能とする【解決手段】ヘアキャッチャー１は、排水口に引つ掛け可能な円環部２と、ゴミを捕集するための捕集部３と、円環部２と捕集部３の間に設けられ、ゴミを捕集部３に案内するための案内部４と、排水口から着脱するためのつまみ部５と、を備えており、つまみ部５は、円環部２側から捕集部３の中心に向けて中心の手前まで上方に向けて起立する板状に形成されており、案内部４は、つまみ部５が設けられた位置から遠ざかる方向に下り勾配の傾斜面２７を備えている。【選択図】図１
2014190015.tif 000002
【特許請求の範囲】
【請求項１】
排水口に引つ掛け可能な円環部と、ゴミを捕集するための捕集部と、円環部と捕集部の間に設けられ、ゴミを捕集部に案内するための案内部と、排水口から着脱するためのつまみ部と、を備えたヘアキャッチャーであって、つまみ部は、円環部側から捕集部の中心に向けて中心の手前まで上方に向けて起立する板状に形成されており、案内部は、つまみ部が設けられた位置から遠ざかる方向に下り勾配の傾斜面を備えていることを特徴とするヘアキャッチャー。 
【請求項２】
捕集部は、 排水孔形成部と、排水孔非形成部とで構成されており、つまみ部寄りの位置が排水孔非形成部とされていることを特徴とする請求項１に記載のヘアキャッチャー。
【請求項３】
つまみ部は、捕集部から上方に向けて起立する板状に設けられており、つまみ部の上縁が、円環部内面に連続し、捕集部の中心に向けて中心の手前まで円環部の上面よりも低い高さとなるように形成されていることを特徴とする請求項１又は２に記載のヘアキャッチャー。
【請求項４】
捕集部は、平面視で長円状とされていることを特徴とする請求項３に記載のヘアキャッチャー。
【請求項５】
つまみ部が、二重壁で構成されており、二重壁の内部空間は、平面視で丸孔とスリット状の溝とが連続するように形成されていることを特徴とする請求項１又は２に記載のヘアキャッチャー。
【請求項６】
捕集部の下方には、軸体で接続された下方捕集部が設けられており、軸体が、つまみ部寄りの位置に偏って設けられていることを特徴とする請求項１から５のいずれかに記載のヘアキャッチャー。
【発明の詳細な説明】
【技術分野】
【０００１】
本発明は、洗面の排水口などに取付けられるヘアキャッチャーに関するものである。
【背景技術】
【０００２】
従来のヘアキャッチャーとして、排水栓とヘアキャッチャーとが軸体により連結されている構成が知られており（特許文献１、２参照）、主に高級価格帯の洗面化粧台で採用されている。特許文献１には、ゴミの捕集部と捕集部にゴミを導く案内部とを備えた構成が記載されている。また。特許文献２には、ヘアキャッチャーの目皿を上下２段構成としたものが記載されている。
【０００３】
また、ゴム製等の排水栓の下方にカゴ状のヘアキャッチャーが設けられているものが知られており（特許文献３参照）、主に廉価価格帯の洗面化粧台に採用されている。特許文献３には、円筒状の周壁部の下縁に端部が接続された放射状に延びるリブと、周壁部と同心に配置された周方向部と、上方に向かって突出する摘み部と、リブにより周壁部の中心に支持され、下方に向かって下方突起部とを有するヘアキャッチャーが記載されている。
【先行技術文献】
【特許文献】
【０００４】
【特許文献１】特開２００９−２０９５３６号公報
【特許文献２】特開２０１２−２５５２８８号公報
【特許文献２】特開２０１２−２００３３１号公報
【発明の概要】
【発明が解決しようとする課題】
【０００５】
上記従来の廉価価格帯のヘアキャッチャーは、排水口内でヘアキャッチャーの上部に排水栓が載置されるための空間が必要であり、清掃性を向上させるための形状や、つまみ部の汚れを抑制するための形状の工夫が難しいのが実情である。
【０００６】
本発明は、上記従来の問題を解決することを目的とし、主に上部に排水栓が載置されるヘアキャッチャーのつまみ部の形状を工夫して着脱性の向上やつまみ部の汚れ抑制を可能とすることを課題とする。
【課題を解決するための手段】
【０００７】
本発明は上記課題を解決するために、排水口に引つ掛け可能な円環部と、ゴミを捕集するための捕集部と、円環部と捕集部の間に設けられ、ゴミを捕集部に案内するための案内部と、排水口から着脱するためのつまみ部と、を備えたヘアキャッチャーであって、つまみ部は、円環部側から捕集部の中心に向けて中心の手前まで上方に向けて起立する板状に形成されており、案内部は、つまみ部が設けられた位置から遠ざかる方向に下り勾配の傾斜面を備えていることを特徴とするヘアキャッチャーを提供する。
【０００８】
捕集部は、 排水孔形成部と、排水孔非形成部とで構成されており、つまみ部寄りの位置が排水孔非形成部とされている構成としてもよい。
【０００９】
つまみ部は、捕集部から上方に向けて起立する板状に設けられており、つまみ部の上縁が、円環部内面に連続し、捕集部の中心に向けて中心の手前まで円環部の上面よりも低い高さとなるように形成されている構成としてもよい。
【００１０】
捕集部は、平面視で長円状とされている構成としてもよい。
【００１１】
つまみ部が、二重壁で構成されており、二重壁の内部空間は、平面視で丸孔とスリット状の溝とが連続するように形成されている構成としてもよい。
【００１２】
捕集部の下方には、軸体で接続された下方捕集部が設けられており、軸体が、つまみ部寄りの位置に偏って設けられている構成としてもよい。
【発明の効果】
【００１３】
本発明によると、次のような効果が生じる。
（１）つまみ部がヘアキャッチャーの円環部から中心に向かうように、全体的には中心から離れている位置には設けられているので、つまみ部は捕集されるヘア等のゴミで汚れにくく、つまみ部を摘む際にも、指がヘア等のゴミへの接触も少なくなり衛生的である。
【００１４】
（２）排水中のヘア等のゴミを、つまみ部から遠ざかる方向に下り勾配の傾斜面を有する案内部によって捕集部に案内する構成としたので、捕集されるヘア等のゴミの多くを捕集部でまとめて捕集し易くなり、捕集の効率が向上する。  
【図面の簡単な説明】
【００１５】
【図１】本発明に係るヘアキャッチャーの実施例１の構成を説明する図であり、（ａ）は斜視図であり、（ｂ）はヘアキャッチャーの内部を示す破断図である。
【図２】上記実施例１のヘアキャッチャーの構成を説明する図であり、（ａ）は断面図であり、（ｂ）は平面図である。
【図３】上記実施例１のヘアキャッチャーの作用を説明する図であり、（ａ）は断面図であり、（ｂ）は平面図である。
【図４】本発明に係るヘアキャッチャーの実施例２の構成を説明する図であり、（ａ）は斜視図であり、（ｂ）はヘアキャッチャーの内部を示す破断図である。
【図５】上記実施例２の構成を説明する図であり、（ａ）はヘアキャッチャーの平面図であり、（ｂ）はヘアキャッチャー排水口に装着するためのアダプタ内にヘアキャッチャーを装着した状態の内部を示す破断図である。
【図６】上記実施例２の作用を説明する図であり、（ａ）はヘアキャッチャーに綿棒を挿入した状態を示す破断図であり、（ｂ）はヘアキャッチャーを上方に持ち上げて取り出す状態を示す斜視図である。
【図７】本発明に係るヘアキャッチャーの実施例３の構成を説明する斜視図である。
【図８】本発明に係るヘアキャッチャーの実施例４の構成を説明する斜視図である。
【発明を実施するための形態】
【００１６】
本発明に係るヘアキャッチャーを実施するための形態を実施例に基づき図面を参照して、以下説明する。
【実施例】
【００１７】
（実施例１）
本発明に係るヘアキャッチャーの実施例１を図１〜図３において説明する。図１及び図２に示すように、実施例１のヘアキャッチャー１は、洗面等の排水口に引つ掛け可能な円環部２と、ヘア等のゴミを捕集するための捕集部３と、ヘア等のゴミを捕集部３に案内するための案内部４、排水口に着脱するためのつまみ部５と、を備えている。
【００１８】
捕集部３は、図２（ｂ）に示すように、全体的に平面視で略長円状とされており、排水孔形成部９と、排水孔非形成部１０とで構成されている。排水孔形成部９は、つまみ部５から離れた側に形成され、排水孔１１が形成されている。排水孔非形成部１０は、つまみ部５寄りの位置に形成されている。
【００１９】
捕集部３は、排水孔非形成部１０において、つまみ部５側では、図２（ａ）、（ｂ）に示すように、つまみ部５に向かって幅が序々に狭くなった（先細りした）凹部１２が形成されている。                               
【００２０】
捕集部３は、つまみ部５から遠い側は円環部２の下縁６に連続している。また、捕集部３の両側に沿ってそれぞれ上方に向かう側壁１３が形成されている。このつまみ部５の両側の側壁１３は、円環部２の下方の伸びる部分に連続している。
【００２１】
このような構成によって、捕集部３の上方には、側壁１３で囲まれた空間が形成されている。以下のこの空間を捕集空間１４という。側壁１３において、つまみ部５から遠い側には、水平方向の排水孔１５が上下方向に複数形成されている。
【００２２】
つまみ部５は、上方に向けて起立し板状に形成されている。本実施例１では、つまみ部５は、特に、捕集部３から上方に向けて起立して形成されている。つまみ部５の上縁２０は、円環部２の内面２１と連続している。
【００２３】
つまみ部５は、円環部２の内面２１に連続する位置から捕集部３の中心に向けて中心の手前まで円環部２の上縁２２よりも低い高さとなるように形成されている。なお、ここで、中心の手前とは、つまみ部５の一部が捕集部３の中心にまでかかっている構成を排除するものではない。つまみ部５のつまみやすさと汚れにくさとのバランスを考慮すると、つまみ部５は、円環部２の半径の半分程度の長さに形成されるのが望ましい。
【００２４】
案内部４は、円環部２と捕集部３の間に設けられており、案内部４の外側縁２５は円環部２に連続し、案内部４の内側縁２６は捕集部３の両側縁から上方に起立した側壁１３に連続している。
【００２５】
案内部４は、つまみ部５から遠ざかる方向に下り勾配の傾斜面２７を備えている。案内部４には、複数の排水孔２８が形成されており、案内部４を流れる排水の一部は、この排水孔２８から下方に流れ落ちる。
【００２６】
ヘアキャッチャー１には、捕集部３の下面から下方に伸びる軸体３２を介して下方捕集部３３が設けられている。下方捕集部３３は円形の底板３４と、底板３４の周縁に上方に向けて張り出すように形成された円形のフランジ３５を備えている。底板３４には、複数の排水孔３６が形成されている。軸体３２は、後記する実施例２〜４のように、つまみ部５寄りの位置に偏って設けられているのでもよい。この場合、ヘアキャッチャー１全体の重心がつまみ部５寄りの位置に偏らせられるので、ヘアキャッチャー１を着脱する際の傾きを抑制することができる。
【００２７】
この下方捕集部３３は、洗面のオーバフロー排水口（図示せず）にも連通しており、洗面の排水口から案内部４乃至捕集部３を通過してきた排水に加えて、洗面のオーバフロー排水口からの排水も流れ込み、これを通過した排水は、下方の排水管（図示せず）へと排出される。
【００２８】
（作用）
以上の構成から成るヘアキャッチャー１の作用を説明する。ヘアキャッチャー１は、円環部２を洗面の排水口に引っ掛けて装着する。排水口からヘアキャッチャー１に流れ込む排水は、図３（ａ）、（ｂ）に示すように、案内部４に沿って下方に流れ、その一部は排水孔２８から下方に流れ落ちる。
【００２９】
残りの排水は、さらに捕集部３へと流れ込み、側壁１３の排水孔１５や捕集部３の排水孔１１から下方捕集部３３へ向けて流れ落ち、下方捕集部３３の排水孔３６から排水管へ流れ出る。
【００３０】
このような排水中に含まれるヘア等のゴミ３７は、その一部は案内部４を流れる過程で案内部４に引っ掛かかって付着したりするが、その多くは案内部４によって捕集部３に案内されて捕集部３において捕捉され、序々に貯まっていく。なお、洗面のオーバー排水口から流れ込む排水中に含まれるヘア等のゴミ３７は、あまり多くはないが、下方捕集部３３で捕捉される。
【００３１】
捕集部３において捕捉されるヘア等のゴミ３７は、基本的には捕集部３の全面に貯まっていくが、図３（ｂ）に矢印で示すように、案内部４から回り込むようにして排水が排水孔１１から流れ出るに伴って、排水孔形成部９側に貯まる。
【００３２】
つまみ部５は、図２（ｂ）に示すように、捕集部３上の捕集空間１４側に突き出るように設けられているので、側壁１３における凹部１２側の内面には、ヘア等のゴミ３７が付着し、こびりついたりしにくい。従って、清掃の際に、ヘア等のゴミ３７を除去し易い。
【００３３】
ヘアキャッチャー１に貯まったヘア等のゴミ３７を除去する清掃作業に際しては、つまみ部５を摘んで洗面の排水口からヘアキャッチャー１を取り出す。そして、円環部２等を把持して、例えば、歯ブラシのような比較的幅の狭いブラシ等を使って、案内部４に付着したヘア等のゴミ３７を捕集部３に掻き落とし、捕集部３に集めたヘア等のゴミ３７を凹部１２側に寄せてブラシ等ですくい上げて除去する。
【００３４】
この場合、捕集部３に凹部１２が設けられているので、捕集部３上のヘア等のゴミ３７を、上記幅の狭いブラシ等を使って凹部１２（一箇所）に掻き集めれば、多くのヘア等のゴミ３７を一括して取り除き易い。
【００３５】
なお、この実施例１のヘアキャッチャー１では、排水中のヘア等のゴミは、つまみ部５から遠ざかる方向に下り勾配の傾斜面を有する案内部４に沿って流れ、捕集部３に案内される構成となっているので、ヘア等のゴミ３７が捕集部３に集まり易くなる。
【００３６】
また、つまみ部５は、円環部２からその中心に向かうように設けられており、つまみ部５全体として捕集部３の中心部上には設けられていないので、つまみ部５は捕集部３において捕集されるヘア等のゴミ３７で汚れにくく、つまみ部５を摘む際にも、指がヘア等のゴミ３７への接触も少なくなり、衛生的である。
【００３７】
（実施例２）
本発明に係るヘアキャッチャーの実施例２を図４〜図６において説明する。実施例２のヘアキャッチャー４１は、実施例１ヘアキャッチャー１と同様に、排水口に引っ掛け可能な円環部４２と、ヘア等のゴミを捕集するための捕集部４３と、ヘア等のゴミを捕集部４３に案内するための案内部４４と、ヘアキャッチャー４１を排水口から着脱するためのつまみ部４５と、を備えている。
【００３８】
このように、実施例２のヘアキャッチャー４１は、その全体構成において、概ね、実施例１のヘアキャッチャー１と同様の構成である。しかし、それぞれの構成要素において、実施例１とは異なる特有の構造を有するので、そのような相違する構成を中心に、以下説明する。なお、実施例１と共通する部分は同じ符号を用いる。
【００３９】
捕集部４３は、図４（ｂ）、図５（ａ）に示すように、円環部４２と案内部４４に囲まれた平面視で略半円状の領域に設けられている。捕集部４３は排水孔形成部４９と、排水孔非形成部５０とで構成されている。
【００４０】
排水孔形成部４９は格子状であり複数の格子孔から成る排水孔５１を有する。排水孔非形成部５０は、つまみ部５に向かって幅が序々に狭くなった凹部５２として形成されている。捕集部４３の上方には、円環部２及び案内部４４で囲まれた捕集空間５４が形成されている。
【００４１】
つまみ部４５は、実施例１と同様に、上方に向けて起立し板状に形成されている。本実施例２では、図４（ａ）、（ｂ）に示すように、つまみ部４５は、特に、案内部４４から上方に向けて起立して形成されている。このつまみ部４５の特徴は、実施例１のつまみ部５の板より薄肉の２枚の板５５から二重壁５６で構成されている点である。
【００４２】
二重壁５６の内部空間は、図５（ａ）に示すように、平面視で丸孔６０とスリット状の溝６１が、互いに連続するように形成されている。丸孔６０とスリット状の溝６１は、共に下方に向けて貫通している。
【００４３】
丸孔６０の直径は、例えば、図６（ａ）に示す綿棒６５の綿塊部６６も挿入できる程度の大きさとし（例えば４ｍｍ程度）、溝６１の幅は、綿棒６５の軸部６７は通るが綿塊部６６は通らない程度の大きさ（例えば約２ｍｍ程度）とする。
【００４４】
つまみ部４５の上縁４７は、円環部４２の内面４６に連続する。つまみ部４５は、円環部４２の内面４６に連続する位置から捕集部４３の中心に向けて中心の手前まで突き出るように形成されている。
【００４５】
案内部４４は、円環部４２と捕集部４３の間に設けられており案内部４４の外側縁は円環部４２に連続するように形成されている。案内部４４は、つまみ部４５が設けられた位置から遠ざかる方向に下り勾配の緩傾斜面７０と急傾斜面７１を備えている。
【００４６】
緩傾斜面７０は、格子状に形成され複数の案内部の排水孔７２が設けられており、案内部４４上を流れる排水は排水孔７２から下方に流れ落ちる。
【００４７】
本実施例２のヘアキャッチャー４１には、実施例１のヘアキャッチャー１と同様に、軸体３２を介して下方捕集部３３が接続されている。実施例２のヘアキャッチャー４１では、軸体３２が、つまみ部４５寄りの位置に偏って設けられており、これにより、重心がつまみ部４５を寄りの位置に偏るように構成されている。
【００４８】
（作用）
以上の構成から成る実施例２のヘアキャッチャー４１の作用について説明する。実施例１では説明を省略したが、洗面の排水口にヘアキャッチャーを装着する際は、通常、図５（ｂ）に示すようなヘアキャッチャーを装着するためのアダプタ７３を介して排水口に装着する。
【００４９】
アダプタ７３は、本発明の要旨ではないのでその構成について詳細な説明は省略するが、排水口へ装着するためのフランジ７４と筒部７５から成り、筒部７５における下方捕集部３３より上方の位置に、洗面のオーバーフロー排水口からの排水を受け入れる開口７６が形成されている。
【００５０】
実施例２のヘアキャッチャー４１においても、実施例１のヘアキャッチャー１と同様に、排水を案内部４４によって捕集部４３に案内する途中、排水の一部を案内部４４の排水孔７２から下方に排水し、さらに捕集部４３の排水孔５１から下方に排水する。ヘア等のゴミは、案内部４４及び捕集部４３で捕捉される。
【００５１】
この実施例２は、捕集部４３が円環部４２内にあるために、捕集部４３の上方の捕集空間５４も比較的大きなスペースが確保できるので、捕集したヘア等のゴミを、比較的多く貯めることが可能となる。
【００５２】
清掃の際には、実施例１のヘアキャッチャー１と同様に、つまみ部４５を摘んでヘアキャッチャー４１を洗面の排水口から取り出して、清掃作業をしてもよいが、次に説明するように、綿棒６５を用いてヘアキャッチャー４１を洗面の排水口から取り出すようにすると、取り出しのための作業が、手を汚さず衛生的であり、しかも容易となる。
【００５３】
即ち、図６（ａ）、（ｂ）に示すように、綿棒６５を丸孔６０から挿入し、綿塊部６６が丸孔６０の下方に突き出た状態で、綿棒６５を溝６１側にスライドして図６（ａ）の状態にしてから、引き上げると、綿塊部６６がスリット状の溝６１に引っ掛かり、図６（ｂ）に示すように、綿棒６５とともにヘアキャッチャー４１をアダプタ７３及び洗面の排水口から持ち上げて取り出すことができる。
【００５４】
清掃は、実施例１のヘアキャッチャー４１と同様に、例えば、歯ブラシのような比較的幅の狭いブラシを使って、案内部４４に付着したヘア等のゴミを捕集部４３に掻き落とし、さらに捕集部４３上のヘア等のゴミを凹部５２に向けて掻き集めることで、ヘア等のゴミを一箇所に集めてまとめ、一括してブラシですくい上げて除去することが可能となる。
【００５５】
仮に、下方捕集部３３を接続する軸体３２がヘアキャッチャー４１の中心部に設けられ、比較的中心部に重心がある場合には、綿棒６５を使用して取り出す際に、綿棒６５を挿入している側が持ち上がり全体が傾き、排水口に引っ掛けて取り出しにくくなる。
【００５６】
しかしながら、本実施例２のヘアキャッチャー４１は、下方捕集部３３を接続する軸体３２が、つまみ部４５寄りの位置に偏って設けられており、ヘアキャッチャー４１全体の重心がつまみ部４５寄りの位置に偏らせているので、傾くことを抑制することができる。
【００５７】
（実施例３）
本発明に係るヘアキャッチャーの実施例３を図７において説明する。この実施例３のヘアキャッチャー８１は、その構成、作用は、実施例２のヘアキャッチャー４１と略同じであるので、相違する構成を以下説明する。実施例２と共通する部分は同じ符号を用いる。
【００５８】
実施例３のヘアキャッチャー８１は、実施例２のヘアキャッチャー４１に比較して、円環部８２の上下方向の寸法を小さくし、円環部８２の上縁９０の高さをつまみ部８５の上縁９１より低く構成されている。従って、つまみ部８５及び案内部８４の一部は、上方に露出して配置された構成となっている。
【００５９】
実施例３のヘアキャッチャー８１は、上記のとおり円環部８２の上下方向の幅が小さくしたので、捕集部８３の上方の捕集空間９４のスペースが小さくなり、捕集して貯めるヘア等のゴミの量は少なくなる。しかしながら、実施例２のヘアキャッチャー４１に比較して、捕集部８３は浅くなり、しかも案内部８４が上方に露出するので、清掃はし易くなる。
【００６０】
（実施例４）
本発明に係るヘアキャッチャーの実施例４を図８において説明する。この実施例４のヘアキャッチャー１０１は、その構成、作用は、実施例２のヘアキャッチャー４１及び実施例３のヘアキャッチャー８１と略同じであるので、相違する構成を以下説明する。実施例２及び実施例３と共通する部分は同じ符号を用いる。
【００６１】
実施例４のヘアキャッチャー１０１は、実施例３のヘアキャッチャー８１に比較して、さらに円環部１０２の上下方向の寸法を小さくし、円環部１０２の上縁１１３の高さは、つまみ部１０５の上縁１０６よりさらに低く構成されている。従って、つまみ部１０５及び案内部１０４の略全体が、さらに上方に露出して配置された構成となっている。
【００６２】
実施例４のヘアキャッチャー１０１は、このような構成としたので、捕集部１０３の上方の捕集空間１１４のスペースが実施例３のヘアキャッチャー８１に比較して、さらに小さくなるので、捕集部１０３で捕集して貯めるヘア等のゴミの量はさらに少なくなる。しかしながら、実施例３のヘアキャッチャー８１に比較して、捕集部１０３の深さはさらに浅くなり、案内部１０４が全体としてさらに上方に露出するので、清掃がよりし易くなる。
【００６３】
以上、本発明に係るヘアキャッチャーを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６４】
本発明に係るヘアキャッチャーは上記のような構成であるから、洗面用の排水口、浴室用の排水口等に適用可能である。
【符号の説明】
【００６５】
１、４１、８１、１０１  ヘアキャッチャー       
２、４２、８２、１０２  円環部                 
３、４３、８３、１０３  捕集部                 
４、４４、８４、１０４  案内部                 
５、４５、８５、１０５  つまみ部
６  円環部の下縁              
９、４９  排水孔形成部           
１０、５０  排水孔非形成部
１１、５１  捕集部の排水孔     
１２、５２  捕集部の凹部         
１３  側壁                 
１４、５４、９４、１１４  捕集空間             
１５  側壁の排水孔         
２０、４７、９１、１０６  つまみ部の上縁
２１、４６  円環部の内面    
２２、９０、１１３  円環部の上縁
２５  案内部の外側縁       
２６  案内部の内側縁       
２７  案内部の傾斜面       
２８、７２  案内部の排水孔       
３２  軸体                 
３３  下方捕集部           
３４  底板                 
３５  フランジ             
３６  下方捕集部の排水孔
３７  ヘア等のゴミ
５５  つまみ部の薄肉の２枚の板
５６  つまみ部の二重壁
６０  つまみ部の丸孔
６１  つまみ部のスリット状の溝
６５  綿棒
６６  綿棒の綿塊部
６７  綿棒の軸部
７０  案内部の緩傾斜面
７１、１１５  案内部の急傾斜面
７３  排水口装着用のアダプタ
７４  アダプタのフランジ
７５  アダプタの筒部
７６  アダプタの開口
【図１】
2014190015.tif 000003
【図２】
2014190015.tif 000004
【図３】
2014190015.tif 000005
【図４】
2014190015.tif 000006
【図５】
2014190015.tif 000007
【図６】
2014190015.tif 000008
【図７】
2014190015.tif 000009
【図８】
2014190015.tif 000010